【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
キャリアの複信構成を決定することと、
前記キャリア上でマスタ情報ブロック（ＭＩＢ）を受信することと、ここにおいて、前記ＭＩＢは、前記複信構成に少なくとも部分的に基づいて、少なくとも１つのフィールドを有して構成される、
前記キャリアの前記複信構成に少なくとも部分的に基づいて、前記ＭＩＢの少なくとも１つのフィールドを解釈することと
を備える方法。
【請求項２】
前記ＭＩＢの前記少なくとも１つのフィールドは、スペシャルサブフレーム構成を備える、請求項１に記載の方法。
【請求項３】
前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、請求項１に記載の方法。
【請求項４】
前記ＳＩＢロケーションフィールドは、ＳＩＢ１についての１つまたは複数のダウンリンク（ＤＬ）サブフレームオプションを示す、請求項３に記載の方法。
【請求項５】
前記キャリアのＴＤＤ構成に少なくとも部分的に基づいて、スペシャルサブフレーム構成を仮定すること、ここにおいて、前記ＭＩＢは、前記仮定したスペシャルサブフレーム構成にしたがって受信される、
をさらに備える、請求項１に記載の方法。
【請求項６】
前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
請求項５に記載の方法。
【請求項７】
前記受信したＭＩＢに少なくとも部分的に基づいて、前記仮定したスペシャルサブフレーム構成を更新すること
をさらに備える、請求項５に記載の方法。
【請求項８】
１つまたは複数の同期信号を受信すること、ここにおいて、前記複信構成は、前記１つまたは複数の同期信号に少なくとも部分的に基づいて決定される、
をさらに備える、請求項１に記載の方法。
【請求項９】
基地局におけるワイヤレス通信の方法であって、
キャリアの複信構成を識別することと、
前記複信構成に少なくとも部分的に基づいて、少なくとも１つのフィールドを有するＭＩＢを構成することと、
前記キャリア上で前記ＭＩＢをブロードキャストすることと
を備える方法。
【請求項１０】
前記複信構成に少なくとも部分的に基づいて、１つまたは複数の同期信号を送信すること
をさらに備える、請求項９に記載の方法。
【請求項１１】
ワイヤレス通信のためのユーザ機器（ＵＥ）装置であって、
キャリアの複信構成を決定するための手段と、
前記キャリア上でマスタ情報ブロック（ＭＩＢ）を受信するための手段と、
前記キャリアの前記複信構成に少なくとも部分的に基づいて、前記ＭＩＢの少なくとも１つのフィールドを解釈するための手段と
を備えるＵＥ装置。
【請求項１２】
処理手段およびメモリを備え、前記ＵＥ装置は、請求項１〜８のいずれか一項に記載の方法を実行するのに適合している、請求項１１に記載のＵＥ装置。
【請求項１３】
ワイヤレス通信のための基地局装置であって、
キャリアの複信構成を識別するための手段と、
前記複信構成に少なくとも部分的に基づいて、少なくとも１つのフィールドを有するＭＩＢを構成するための手段と、
前記キャリア上で前記ＭＩＢをブロードキャストするための手段と
を備える基地局装置。
【請求項１４】
処理手段およびメモリを備え、前記ＵＥ装置は、請求項９および１０のいずれか一項に記載の方法を実行するのに適合している、請求項１３に記載の基地局装置。
【請求項１５】
コンピューティングデバイスの前記処理手段上で実行されると、請求項１〜８または９〜１０のいずれか一項に記載の方法を行うための命令を備えるコンピュータプログラム。
【手続補正２】
【補正対象書類名】明細書
【補正対象項目名】０１３１
【補正方法】変更
【補正の内容】
【０１３１】
[0138]本明細書の説明は、当業者が本開示を実行または使用することを可能にするために提供される。本開示に対する様々な修正は、当業者には容易に明らかであり、本明細書で定義された包括的な原理は、本開示の範囲から逸脱することなく他の変形に適用され得る。ゆえに、本開示は、本明細書で説明された例および設計に制限されることを意図せず、本明細書で開示された原理および新規な特徴に合致する最も広い範囲が与えられるべきである。
以下に本願の出願当初の特許請求の範囲に記載された発明を付記する。
［Ｃ１］  ワイヤレス通信の方法であって、
キャリアの複信構成を決定することと、
前記キャリア上でマスタ情報ブロック（ＭＩＢ）を受信することと、
前記キャリアの前記複信構成に少なくとも部分的に基づいて、前記ＭＩＢの少なくとも１つのフィールドを解釈することと
を備える方法。
［Ｃ２］  前記複信構成は、時分割複信（ＴＤＤ）構成、周波数分割複信（ＦＤＤ）、またはアンライセンススペクトル構成のうちの１つを備える、Ｃ１に記載の方法。
［Ｃ３］  前記ＭＩＢの前記少なくとも１つのフィールドは、スペシャルサブフレーム構成を備える、Ｃ２に記載の方法。
［Ｃ４］  前記スペシャルサブフレーム構成は、低減されたダウンリンクパイロットタイムスロット（ＤｗＰＴＳ）セットを備える、Ｃ３に記載の方法。
［Ｃ５］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ１に記載の方法。
［Ｃ６］  前記ＳＩＢロケーションフィールドは、ＳＩＢ１についての１つまたは複数のダウンリンク（ＤＬ）サブフレームオプションを示す、Ｃ５に記載の方法。
［Ｃ７］  前記キャリアの前記ＴＤＤ構成に少なくとも部分的に基づいて、スペシャルサブフレーム構成を仮定すること、ここにおいて、前記ＭＩＢは、前記仮定したスペシャルサブフレーム構成にしたがって受信される、
をさらに備える、Ｃ２に記載の方法。
［Ｃ８］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ７に記載の方法。
［Ｃ９］  前記受信したＭＩＢに少なくとも部分的に基づいて、前記仮定したスペシャルサブフレーム構成を更新すること
をさらに備える、Ｃ７に記載の方法。
［Ｃ１０］  １つまたは複数の同期信号を受信すること、ここにおいて、前記複信構成は、前記１つまたは複数の同期信号に少なくとも部分的に基づいて決定される、
をさらに備える、Ｃ１に記載の方法。
［Ｃ１１］  前記ＭＩＢの前記少なくとも１つのフィールドは、複信構成固有フィールドを備える、Ｃ１に記載の方法。
［Ｃ１２］  ワイヤレス通信の方法であって、
キャリアの複信構成を識別することと、
前記複信構成に少なくとも部分的に基づいて、少なくとも１つのフィールドを有するＭＩＢを構成することと、
前記キャリア上で前記ＭＩＢをブロードキャストすることと
を備える方法。
［Ｃ１３］  前記複信構成に少なくとも部分的に基づいて、１つまたは複数の同期信号を送信すること
をさらに備える、Ｃ１２に記載の方法。
［Ｃ１４］  前記複信構成は、時分割複信（ＴＤＤ）構成、周波数分割複信（ＦＤＤ）構成、またはアンライセンススペクトル構成のうちの１つを備える、Ｃ１２に記載の方法。
［Ｃ１５］  前記ＭＩＢの前記少なくとも１つのフィールドは、スペシャルサブフレーム構成を備える、Ｃ１４に記載の方法。
［Ｃ１６］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ１４に記載の方法。
［Ｃ１７］  ワイヤレス通信のための装置であって、
キャリアの複信構成を決定するための手段と、
前記キャリア上でマスタ情報ブロック（ＭＩＢ）を受信するための手段と、
前記キャリアの前記複信構成に少なくとも部分的に基づいて、前記ＭＩＢの少なくとも１つのフィールドを解釈するための手段と
を備える装置。
［Ｃ１８］  前記複信構成は、時分割複信（ＴＤＤ）構成、周波数分割複信（ＦＤＤ）構成、またはアンライセンススペクトル構成のうちの１つを備える、Ｃ１７に記載の装置。
［Ｃ１９］  前記ＭＩＢの前記少なくとも１つのフィールドは、スペシャルサブフレーム構成を備える、Ｃ１８に記載の装置。
［Ｃ２０］  前記スペシャルサブフレーム構成は、低減されたダウンリンクパイロットタイムスロット（ＤｗＰＴＳ）セットを備える、Ｃ１９に記載の装置。
［Ｃ２１］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ１８に記載の装置。
［Ｃ２２］  前記ＳＩＢロケーションフィールドは、ＳＩＢ１についての１つまたは複数のダウンリンク（ＤＬ）サブフレームオプションを示す、Ｃ２１に記載の装置。
［Ｃ２３］  前記キャリアの前記ＴＤＤ構成に少なくとも部分的に基づいて、スペシャルサブフレーム構成を仮定するための手段、ここにおいて、前記ＭＩＢは、前記仮定したスペシャルサブフレーム構成にしたがって受信される、
をさらに備える、Ｃ１８に記載の装置。
［Ｃ２４］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ２３に記載の装置。
［Ｃ２５］  前記受信したＭＩＢに少なくとも部分的に基づいて、前記仮定したスペシャルサブフレーム構成を更新するための手段
をさらに備える、Ｃ２３に記載の装置。
［Ｃ２６］  １つまたは複数の同期信号を受信するための手段、ここにおいて、前記複信構成は、前記１つまたは複数の同期信号に少なくとも部分的に基づいて決定される、
をさらに備える、Ｃ１７に記載の装置。
［Ｃ２７］  前記ＭＩＢの前記少なくとも１つのフィールドは、複信構成固有フィールドを備える、Ｃ１７に記載の装置。
［Ｃ２８］  ワイヤレス通信のための装置であって、
キャリアの複信構成を識別するための手段と、
前記複信構成に少なくとも部分的に基づいて、少なくとも１つのフィールドを有するＭＩＢを構成するための手段と、
前記キャリア上で前記ＭＩＢをブロードキャストするための手段と
を備える装置。
［Ｃ２９］  前記複信構成に少なくとも部分的に基づいて、１つまたは複数の同期信号を送信するための手段
をさらに備える、Ｃ２８に記載の装置。
［Ｃ３０］  前記複信構成は、時分割複信（ＴＤＤ）構成、周波数分割複信（ＦＤＤ）構成、またはアンライセンススペクトル構成のうちの１つを備える、Ｃ２８に記載の装置。
［Ｃ３１］  前記ＭＩＢの前記少なくとも１つのフィールドは、スペシャルサブフレーム構成を備える、Ｃ３０に記載の装置。
［Ｃ３２］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ３０に記載の装置。
［Ｃ３３］  ワイヤレス通信のための装置であって、
プロセッサと、
前記プロセッサと電子通信状態にあるメモリと、
前記メモリに記憶されている命令と
を備え、前記命令は、前記プロセッサによって実行されると、
キャリアの複信構成を決定することと、
前記キャリア上でマスタ情報ブロック（ＭＩＢ）を受信することと、
前記キャリアの前記複信構成に少なくとも部分的に基づいて、前記ＭＩＢの少なくとも１つのフィールドを解釈することと
を前記装置に行わせるように動作可能である、
装置。
［Ｃ３４］  前記複信構成は、時分割複信（ＴＤＤ）構成、周波数分割複信（ＦＤＤ）構成、またはアンライセンススペクトル構成のうちの１つを備える、Ｃ３３に記載の装置。
［Ｃ３５］  前記ＭＩＢの前記少なくとも１つのフィールドは、スペシャルサブフレーム構成を備える、Ｃ３４に記載の装置。
［Ｃ３６］  前記スペシャルサブフレーム構成は、低減されたダウンリンクパイロットタイムスロット（ＤｗＰＴＳ）セットを備える、Ｃ３５に記載の装置。
［Ｃ３７］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ３４に記載の装置。
［Ｃ３８］  前記ＳＩＢロケーションフィールドは、ＳＩＢ１についての１つまたは複数のダウンリンク（ＤＬ）サブフレームオプションを示す、Ｃ３７に記載の装置。
［Ｃ３９］  前記命令は、
前記キャリアの前記ＴＤＤ構成に少なくとも部分的に基づいて、スペシャルサブフレーム構成を仮定させる、ここにおいて、前記ＭＩＢは、前記仮定したスペシャルサブフレーム構成にしたがって受信される、
ように動作可能である、Ｃ３４に記載の装置。
［Ｃ４０］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ３９に記載の装置。
［Ｃ４１］  前記命令は、
前記受信したＭＩＢに少なくとも部分的に基づいて、前記仮定したスペシャルサブフレーム構成を更新させる
ように動作可能である、Ｃ３９に記載の装置。
［Ｃ４２］  前記命令は、
１つまたは複数の同期信号を受信させる、ここにおいて、前記複信構成は、前記１つまたは複数の同期信号に少なくとも部分的に基づいて決定される、
ように動作可能である、Ｃ３３に記載の装置。
［Ｃ４３］  前記ＭＩＢの前記少なくとも１つのフィールドは、複信構成固有フィールドを備える、Ｃ３３に記載の装置。
［Ｃ４４］  ワイヤレス通信のための装置であって、
プロセッサと、
前記プロセッサと電子通信状態にあるメモリと、
前記メモリに記憶されている命令と
を備え、前記命令は、前記プロセッサによって実行されると、
キャリアの複信構成を識別することと、
前記複信構成に少なくとも部分的に基づいて、少なくとも１つのフィールドを有するＭＩＢを構成することと、
前記キャリア上で前記ＭＩＢをブロードキャストすることと
を前記装置に行わせるように動作可能である
装置。
［Ｃ４５］  前記命令は、
前記複信構成に少なくとも部分的に基づいて、１つまたは複数の同期信号を送信させる  ように動作可能である、Ｃ４４に記載の装置。
［Ｃ４６］  前記複信構成は、時分割複信（ＴＤＤ）構成、周波数分割複信構成（ＦＤＤ）、またはアンライセンススペクトル構成のうちの１つを備える、Ｃ４４に記載の装置。
［Ｃ４７］  前記ＭＩＢの前記少なくとも１つのフィールドは、スペシャルサブフレーム構成を備える、Ｃ４６に記載の装置。
［Ｃ４８］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ４６に記載の装置。
［Ｃ４９］  ワイヤレス通信のためのコードを記憶する非一時的なコンピュータ読取可能な媒体であって、前記コードは、
キャリアの複信構成を決定することと、
前記キャリア上でマスタ情報ブロック（ＭＩＢ）を受信することと、
前記キャリアの前記複信構成に少なくとも部分的に基づいて、前記ＭＩＢの少なくとも１つのフィールドを解釈することと
を行うように実行可能な命令を備える、非一時的なコンピュータ読取可能な媒体。
［Ｃ５０］  前記複信構成は、時分割複信（ＴＤＤ）構成、周波数分割複信（ＦＤＤ）構成、またはアンライセンススペクトル構成のうちの１つを備える、Ｃ４９に記載の非一時的なコンピュータ読取可能な媒体。
［Ｃ５１］  前記ＭＩＢの前記少なくとも１つのフィールドは、スペシャルサブフレーム構成を備える、Ｃ５０に記載の非一時的なコンピュータ読取可能な媒体。
［Ｃ５２］  前記スペシャルサブフレーム構成は、低減されたダウンリンクパイロットタイムスロット（ＤｗＰＴＳ）セットを備える、Ｃ５１に記載の非一時的なコンピュータ読取可能な媒体。
［Ｃ５３］  前記ＭＩＢの前記少なくとも１つのフィールドは、システム情報ブロック（ＳＩＢ）ロケーションフィールドを示すインジケーションまたは前記ＳＩＢロケーションフィールドの反復の数を示すインジケーションのうちの１つを備える、Ｃ５０に記載の非一時的なコンピュータ読取可能な媒体。
［Ｃ５４］  前記ＳＩＢロケーションフィールドは、ＳＩＢ１についての１つまたは複数のダウンリンク（ＤＬ）サブフレームオプションを示す、Ｃ５３に記載の非一時的なコンピュータ読取可能な媒体。
［Ｃ５５］  前記命令は、
前記キャリアの前記ＴＤＤ構成に少なくとも部分的に基づいて、スペシャルサブフレーム構成を仮定すること、ここにおいて、前記ＭＩＢは、前記仮定したスペシャルサブフレーム構成にしたがって受信される、
を行うように実行可能である、Ｃ５０に記載の非一時的なコンピュータ読取可能な媒体。
［Ｃ５６］  前記仮定したスペシャルサブフレーム構成は、１１シンボルのダウンリンクパイロットタイムスロット（ＤｗＰＴＳ）、９シンボルのＤｗＰＴＳ、１シンボルのガード期間、２シンボルのアップリンクパイロットタイムスロット（ＵｐＰＴＳ）、またはそれらの任意の組み合わせを備える、
Ｃ５５に記載の非一時的なコンピュータ読取可能な媒体。
［Ｃ５７］  前記命令は、
前記受信したＭＩＢに少なくとも部分的に基づいて、前記仮定したスペシャルサブフレーム構成を更新すること
を行うように実行可能である、Ｃ５５に記載の非一時的なコンピュータ読取可能な媒体。
［Ｃ５８］  前記命令は、
１つまたは複数の同期信号を受信すること、ここにおいて、前記複信構成は、前記１つまたは複数の同期信号に少なくとも部分的に基づいて決定される、
を行うように実行可能である、Ｃ４９に記載の非一時的なコンピュータ読取可能な媒体。
［Ｃ５９］  前記ＭＩＢの前記少なくとも１つのフィールドは、複信構成固有フィールドを備える、Ｃ４９に記載の非一時的なコンピュータ読取可能な媒体。
［Ｃ６０］  ワイヤレス通信のためのコードを記憶する非一時的なコンピュータ読取可能な媒体であって、前記コードは、
キャリアの複信構成を識別することと、
前記複信構成に少なくとも部分的に基づいて、少なくとも１つのフィールドを有するＭＩＢを構成することと、
前記キャリア上で前記ＭＩＢをブロードキャストすることと
を行うように実行可能な命令を備える、非一時的なコンピュータ読取可能な媒体。
［Ｃ６１］  前記命令は、
前記複信構成に少なくとも部分的に基づいて、１つまたは複数の同期信号を送信すること
を行うように実行可能である、Ｃ６０に記載の非一時的なコンピュータ読取可能な媒体。
［Ｃ６２］  前記複信構成は、時分割複信（ＴＤＤ）構成、周波数分割複信（ＦＤＤ）構成、またはアンライセンススペクトル構成を備える、Ｃ６０に記載の非一時的なコンピュータ読取可能な媒体。
［Ｃ６３］  前記ＭＩＢの前記少なくとも１つのフィールドは、スペシャルサブフレーム構成を備える、Ｃ６２に記載の非一時的なコンピュータ読取可能な媒体。
［Ｃ６４］  前記ＭＩＢの前記少なくとも１つのフィールドは、ＳＩＢロケーションフィールドを示すインジケーションまたは前記ＳＩＢロケーションフィールドの反復の数を示すインジケーションのうちの１つを備える、Ｃ６２に記載の非一時的なコンピュータ読取可能な媒体。